(57)【特許請求の範囲】
【請求項１】
幅方向の断面が円弧状或いは放物線状の凹部面と、互いに間隔を開けて前記凹部面より立設した少なくとも３本の隔壁と、を有する表示部材であって、
前記隔壁の一方の側面、他方の側面、及び前記凹部面にそれぞれ異なる表示が設けられ、
前記凹部面の幅方向の断面において、各隔壁の中心を通る直線が隔壁から離れた基準点を通り、前記基準点が、凹部面の断面が円弧の場合は前記円弧を含む円の中心であり、放物線の場合には前記放物線の焦点であることを特徴とする表示部材。
【請求項２】
前記凹部面が光透過性を有することを特徴とする請求項１に記載の表示部材。
【請求項３】
前記基準点以外に少なくとも一つの仮想基準点を設け、前記表示部材内に、一部の前記隔壁の中心を通る直線が前記仮想基準点を通るように前記隔壁の角度を調整した領域を設けたことを特徴とする請求項１又は２に記載の表示部材。
【発明の詳細な説明】
【技術分野】
【０００１】
本発明は、広告媒体や案内板等として用いられる表示部材に関する。
【背景技術】
【０００２】
従来、広告や各種案内の表示手段の一つとして、観察者の表示部材に対する位置が変わると表示が変わる、複数面表示の表示部材がある。具体的には、例えば２面表示の表示部材が特許文献１乃至４に開示されている。これらは、表示部材の断面が、三角形の２辺が複数連続するプリーツ形状となっており、一方の側面と他方の側面とで、それぞれの側面のみをつないだ際に連続した表示となるように、各側面に表示を分割して配置した構成となっている。
【０００３】
また、特許文献５には、３面表示の表示部材が開示されている。係る表示部材の一例を図１１に示す。図１１中（ａ）は表示部材の斜視図であり、（ｂ）は（ａ）中のＡ−Ａ’断面模式図である。係る表示部材は、平坦面１と、互いに間隔を開けて平坦面１に立設した複数の隔壁２からなり、隔壁２の一方の側面３と他方の側面４と平坦面１とにそれぞれで連続した表示を配置した構成となっている。その結果、図１１（ｂ）において、紙面左側から右側へ観察者が移動しながら係る表示部材を見た場合には、隔壁２の側面４の表示、平坦面１の表示、隔壁２の側面３の表示の順に、３つの異なる表示が順に観察される。
【先行技術文献】
【特許文献】
【０００４】
【特許文献１】実開昭５９−８７０９４号公報
【特許文献２】特開昭５１−１２６７９４号公報
【特許文献３】特開２００７−８６６５６号公報
【特許文献４】実用新案登録第３１２８９０９号公報
【特許文献５】実用新案登録第３１２８０９９号公報
【発明の概要】
【発明が解決しようとする課題】
【０００５】
特許文献５の表示部材は、図１１（ｂ）に示すように、平坦面１に対して隔壁２は垂直に起立して設けられている。そのため、図１１（ｂ）において、正面の中央の位置Ｑから見た場合、破線１０で示される視線の平坦面１への角度は中央から離れるに従って傾斜し、隔壁２によって視界が妨げられることになる。その結果、中央に比べて左右の表示は、隔壁２の側面３，４の表示が混在する、いわゆるクロストークが生じてしまう。
【０００６】
また、夜間など、表示部材に対して照明を当てる場合に、隔壁２によって平坦面１に影が生じて平坦面１の表示が見えにくくなったり、３面に均等に照明を当てるためには多数箇所に照明を配置する必要があるといった問題もあった。
【０００７】
本発明の課題は、上記した問題を解決し、３面表示の表示部材において、隔壁の影響を低減し、表示性能の向上を図ることにある。
【課題を解決するための手段】
【０００９】
本発明は、幅方向の断面が円弧状或いは放物線状の凹部面と、互いに間隔を開けて前記凹部面より立設した少なくとも３本の隔壁と、を有する表示部材であって、
前記隔壁の一方の側面、他方の側面、及び前記凹部面にそれぞれ異なる表示が設けられ、
前記凹部面の幅方向の断面において、各隔壁の中心を通る直線が隔壁から離れた基準点を通り、前記基準点が、凹部面の断面が円弧の場合は前記円弧を含む円の中心であり、放物線の場合には前記放物線の焦点であることを特徴とする。
【発明の効果】
【００１０】
本発明によれば、隔壁の凹部面に対する角度を基準点に合わせて調整することによって、観測者が基準点から見た場合の凹部面の表示性能を向上させることができる。
【００１１】
また、基準点以外に仮想基準点を設け、隔壁の一部分を仮想基準点に合わせて角度を調整することによって、一つの表示部材で、意図的に混在させた表示が可能となる。
【００１２】
さらに、凹部面を光透過性とすることで、表示部材の裏面から照明を当てることができ、少ない照明で効率良く均等に全面に照明を当てることが可能となり、夜間や暗い場所での表示性能を向上させることができる。
【図面の簡単な説明】
【００１３】
【図１】本発明の表示部材の参考実施形態の構成を示す斜視図と断面模式図である。
【図２】本発明の表示部材の他の参考実施形態の構成を示す断面模式図である。
【図３】本発明の表示部材に表示する各面の表示の一例を示す図である。
【図４】図３の表示を表示部材の各面に対応するように分割した状態を示す図である。
【図５】図４の分割した表示を表示部材の面に合わせて合成した図である。
【図６】本発明の表示部材の実施形態の構成を示す斜視図である。
【図７】図６の実施形態の断面模式図である。
【図８】本発明の表示部材の他の参考実施形態の構成を示す斜視図と断面模式図である。
【図９】図８の表示部材で表示する各面の表示の一例を示す図である。
【図１０】図８の表示部材で表示される表示を示す図である。
【図１１】従来の３面表示の表示部材の構成を示す斜視図と断面模式図である。
【発明を実施するための形態】
【００１４】
（実施形態１）
図１は、本発明の表示部材の参考実施形態の構成を示す図であり、図１（ａ）は斜視図、（ｂ）は（ａ）中のＡ−Ａ’断面図である。本発明の表示部材は、図１に示されるように、平坦面１と、互いに間隔を開けて平坦面１より立設された複数の隔壁２とからなる。そして、平坦面１の幅方向（図１（ｂ）の紙面左右方向、平坦面１の短手方向）の断面において、隔壁２の中心を通る直線５が、隔壁２から離れた仮想の基準点Ｐを通るように、隔壁２の平坦面１に対する角度が一方の側から他方の側に向かって段階的に変化している。
【００１５】
ここで、本発明における仮想基準点Ｐの位置は、観察者が平坦面１を観察すると考えられる適切な位置、或いは、平均的な位置とする。例えば、屋外の広告や案内であれば、交差点などで観察者が立ち止まりやすく、係る広告を見る時間が比較的長い位置を仮想基準点Ｐとする。また、常に観察者が移動するような場合には、表示部材の中央を仮想基準点Ｐとすればよい。
【００１６】
また、本発明において隔壁２の中心を通る直線５とは、図１に示したような平板の隔壁の場合には、その厚みの中心を通る直線であり、また、図２（ａ）に示すように、隔壁２の断面が三角形である場合には、底辺の中央から頂点を通る直線である。本発明では、係る直線５が仮想基準点Ｐを通るように、各隔壁２の平坦面１に対する角度を調整する。
【００１７】
このように、各隔壁２を仮想基準点Ｐに対応して傾斜させることにより、仮想基準点Ｐから観察者が表示部材を観察した場合、全ての平坦面１が隔壁２に妨げられることなく観察されることになる。
【００１８】
そのため、平坦面１、隔壁２の側面３及び４のそれぞれに所定の表示を設けておくと、仮想基準点Ｐからは、平坦面１に設けた表示が連続し、且つ、隔壁２の側面３，４の表示が混在することなく観察される。また、図１（ｂ）の紙面左側から観察した場合には、隔壁２の側面４に設けた表示が、紙面右側から観察した場合には、隔壁２の側面３に設けた表示がそれぞれ観察される。
【００１９】
本発明において、表示部材の中央部、左右両端側の少なくとも３本の隔壁があると、平坦面１、隔壁２の左側面、隔壁２の右側面の３表示の変化が観察される。また、表示部材の端部は、平坦面１であっても、隔壁２であってもよい。また、図２に示した、断面が三角形となる隔壁２の頂点（仮想基準点Ｐ側の頂点）側に第２の平坦面を設けて、断面が台形状となる隔壁としても良い。この場合、第２の平坦面と本来の平坦面１とで連続した表示を設ければよい。尚、断面が台形の隔壁の場合、中心を通る直線５は、係る台形の下底の中心と上底の中心を通る直線である。
【００２０】
また、本発明において、隣り合う隔壁２間の平坦面１の幅は一定であるのが製造上容易で好ましいが、例えば、仮想基準点Ｐに最も近い位置から離れるに従って平坦面１の幅を徐々に広くすることで、隔壁２の遮蔽の影響をより少なくすることができる。
【００２１】
本実施形態の表示部材の製造方法について説明する。
【００２２】
〔製造方法１〕
最も簡便な方法は、平坦面１と隔壁２の側面３，４の表示を紙などの基材に連続して印刷し、折り曲げて立体化する方法である。図面を用いて手順を説明する。
【００２３】
図３（ａ）、（ｂ）、（ｃ）の３種類の表示を平坦面１と隔壁２の側面３，４を用いて表示する。ここで、図３（ａ）は隔壁２の側面３、図３（ｂ）は平坦面１、図３（ｃ）は隔壁２の側面４に表示するものとする。
【００２４】
図４に示すように、各表示を対応する表示部材の面の幅に応じて短冊状に分割する。図４（ａ）、（ｂ）、（ｃ）はそれぞれ、図３の（ａ）、（ｂ）、（ｃ）に対応する。尚、図４では便宜上、平坦面１、隔壁２の側面３，４はいずれも均一な幅で示している。このように分割した表示を、表示する面の順序に合わせて配列して合成した状態が図５である。即ち、平坦面１、側面４、側面３、平坦面１、側面４、側面３・・・の順序で、分割した各表示を配列している。このような３つの表示を一体に配列したものを基材に印刷する、或いは、図３（ａ）、（ｂ）、（ｃ）のようにそれぞれ一旦、紙などに印刷したものを、図４（ａ）、（ｂ）、（ｃ）の如く短冊状に分割し、図５の配列で基材に接着剤等により貼付する。
【００２５】
基材としては、折り曲げが容易な厚さの薄い紙を用いることが好ましいが、使用目的によりＰＥＴ（ポリエチレンテレフタレート）シートやポリ塩化ビニルシートなどの印刷可能な樹脂シートを用いることもできる。特に、後述するように平坦面１が光透過性を有する表示部材を構成する場合には、ＰＥＴシートなどの樹脂シートが好適である。
【００２６】
また、印刷手段としては、ロールシートを使用したインクジェット方式が好適であるが、グラビア印刷やオフセット印刷を用いることもできる。
【００２７】
その後、平坦面１と側壁３，４との境界（図５の破線）を谷折、側壁３と４との境界（図５の一点鎖線）を山折に順次折り曲げ、必要に応じて側壁３と４とを互いに裏面で貼り合わせて隔壁２とし、各隔壁２の平坦面１に対する角度を調整することで図１に示した構成の表示部材を得ることができる。側壁３と４とを貼り合わせる際には、間に硬い紙などの芯材を挟み込んでも良く、また、立体化してから平坦面１を別途硬い紙や樹脂板などの基材に貼り付けて固定してもよい。
【００２８】
ここで、予め側面３と４の幅を調整しておくことで、折り曲げによって隔壁２を起立させた際に平坦面１に対して各隔壁２が所望の角度で傾斜するように構成することができる。具体的には、図２（ａ）に示したように、隔壁２の断面が三角形となるように、図２（ｂ）に示すように、側面３の幅Ｌ３と、側面４の幅Ｌ４とに長短の差をつける。例えば、隔壁２の中心を通る直線５の平坦面１に対する角度θを８４°とする場合には、Ｌ３を３０ｍｍ、Ｌ４を３０．１ｍｍ、隔壁２の底面の幅Ｌ１を１ｍｍとなるように形成すると、平坦面２に対して８４°の角度で側面３側に傾斜した隔壁２が得られる。全体としては隔壁２の底面の幅Ｌ１は全隔壁２に一定とし、角度θに合わせてそれぞれの隔壁２のＬ３とＬ４とを設定して印刷することにより、折り込み後に所定の角度で傾斜した隔壁２を得ることができる。
【００２９】
このような製造方法を用いる場合、所望の角度を計算で予め求めた位置に折り目位置マークをつけておくことで、その折り目位置マークに沿って印刷物を折ることで、容易に立体化することができる。また、印刷する際に、余白部或いは裏面に折り目位置マークを印刷しておき、印刷後、自動折り込み装置などで係る折り目位置マークに沿って印刷物を折り曲げることにより、精度良く立体化することができる。
【００３０】
〔製造方法２〕
図１（ａ）の構造、或いは、断面が図２（ａ）の構造を有する基材を形成し、図３のような表示をそれぞれ印刷した後、印刷物を図４のように短冊状に分割し、対応する基材の各面に分割した印刷物を貼付する方法である。基材の形成には、対応するキャビティを有する金型を用い、熱可塑性樹脂を用いて押し出し成形すればよい。或いは、平板基材と、各隔壁２に相当する隔壁基材とを熱可塑性樹脂の押出成形等により形成し、平板基材に隔壁基材をボルトなどで所望の角度で傾斜するように取り付けたり、平板の隔壁基材を平板基材に取り付けてから隔壁基材の角度を調整してもよい。
【００３１】
（実施形態２）
実施形態１においては、図１（ｂ）、図２（ａ）に示したような、幅方向断面において平坦面１が直線状に配列するような、平坦な面に配置される表示部材を示したが、本発明においては、曲面に配置される表示部材も同様にして構成することができる。
【００３２】
図６は、本発明の第２の表示部材の一実施形態の斜視図であり、幅方向（短手方向）の断面が円弧状の凹部面６と、隔壁２とを備えた表示部材を備えている。図７に図６のＡ−Ａ’断面模式図を示す。
【００３３】
本実施形態においては、基準点Ｒが凹部面６の断面の円弧が含まれる円の中心である。即ち、隔壁２の中心を通る直線は、凹部面６の断面の円弧が含まれる円の法線である。
【００３４】
尚、本実施形態では、凹部面６の断面が円弧の場合を示したが、断面が放物線状であってもよく、その場合の基準点Ｒは、放物線の焦点である。また、隔壁２の断面も、図２のように三角形であっても良いが、凹部面６の断面が円弧状或いは放物線状である場合においては、隔壁２の側面３の長さＬ３と側面４の長さＬ４は等しく、隔壁２の断面形状は二等辺三角形となる。
【００３５】
尚、本実施形態は、実施形態１の平坦面１が凹部面６であり、基準点が円弧の中心或いは放物線の焦点である以外は、基本的に実施形態１の構成と同様である。よって、隔壁２の本数も、表示部材の中央部、左右両端側の少なくとも３本であると、凹部面６、隔壁２の左側面、隔壁２の右側面の３表示の変化が観察される。また、表示部材の端部は凹部面６，隔壁２のいずれであってもよい。
【００３６】
本実施形態の表示部材の製造方法について説明する。
【００３７】
〔製造方法１〕
実施形態１の製造方法１の如く、各面の表示を分割して合成した図５のような印刷物を形成し、折り曲げて、必要に応じて隔壁２の側面３と４とを貼り合わせた後、全体を円弧状或いは放物線状に曲げて凹部面６を所定の曲面とする。さらに、必要に応じて、所定の円弧状或いは放物線状の樹脂板等の基材に凹部面６を貼付して一体化する。
【００３８】
〔製造方法２〕
実施形態１の製造方法２で説明したように、図５のような構造の基材を熱可塑性樹脂の押出成形で成形し、別途用意した図３のような印刷物を図４の如く分割し、対応する基材の各面に分割した印刷物を貼付する。
【００３９】
また、上記基材としては、実施形態１の製造方法２で説明したように、所定の円弧状或いは放物線状の曲面基材と、隔壁２に相当する隔壁基材とを、熱可塑性樹脂の押出成形等で形成し、曲面基材に隔壁をボルトなどで所望の角度で傾斜するように取り付けたり、平板の隔壁基材を曲面基材に取り付けてから隔壁基材の角度を調整してもよい。
【００４０】
（実施形態３）
上記実施形態１，２においては、仮想基準点Ｐ或いは基準点Ｒは表示部材に対して一つであったが、本発明においては、一つの表示部材に対して仮想基準点Ｐ或いは基準点Ｒを２以上とし、隔壁２の一部分をそれぞれの基準点に合わせて角度を調整することができる。即ち、一つの表示部材において、仮想基準点Ｐ或いは基準点Ｒが異なる２以上の領域を混在させることができる。表示部材が所定の円弧状或いは放物線状の曲面構造体の場合には、１つの基準点Ｒは、円の中心、放物線の焦点位置になるが、他の基準点Ｒは、観察者が表示部材を観察するに適切と思われる位置を仮想の基準点とし、隔壁２の中心を通る直線が該仮想の基準点を通るように各隔壁２の角度を調整すればよい。
【００４１】
図８（ａ）に、図１の表示部材において、仮想基準点Ｐを２つとした構成例の斜視図を示す。また図８（ｂ）は図８（ａ）中のＡ−Ａ’断面模式図である。図８（ａ）、（ｂ）に示したように、本例の表示部材は、仮想基準点Ｐ１に対応して隔壁２の角度を調整した領域８１と、仮想基準点Ｐ２に対応して隔壁２の角度を調整した領域８２とを有している。図９は、係る表示部材で表示する３つの表示を模式的に示しており、（ａ）は隔壁２の側面４の表示を、（ｂ）は平坦面１の表示を、（ｃ）は隔壁２の他方の側面３の表示を模式的に示している。
【００４２】
図９（ａ）に示される側壁４の表示は、紙面左半分の破線で仕切られた５つの部位がそれぞれ、領域８１の隔壁２の５つの側面４に対応し、Ａで示される表示が表示されている。又、図９（ａ）の右半分の破線で仕切られた５つの部位はそれぞれ、領域８２の隔壁２の５つの側面４に対応し、Ｘで示される表示が表示されている。また、図９（ｂ）に示される平坦面１の表示は、紙面左側の破線で仕切られた４つの部位がそれぞれ、領域８１の４つの平坦面１に対応し、Ｂで示される表示が表示されている。また、図９（ｂ）の左側の破線で仕切られた４つの部位はそれぞれ、領域８２の４つの平坦面１に対応し、Ｙで示される表示が表示されている。中央の破線で仕切られた１つの部位は、仮想基準点Ｐ１，Ｐ２のいずれからも観察される平坦面１である。さらに、図９（ｃ）の紙面左半分の破線で仕切られた５つの部位はそれぞれ、領域８１の隔壁２の５つの側面３に対応し、Ｃで示される表示が表示されており、図９（ｃ）の紙面右半分の破線で仕切られた５つの部位はそれぞれ、領域８２の隔壁２の側面３に対応し、Ｚで示される表示が表示されている。
【００４３】
図１０は、図９に示された各表示を分割して図８（ａ）の構造を有する基材の対応する各面に貼付し、位置を変えて観察した時に観察される表示を示す模式図である。図１０の紙面左右方向は、図１０（ｄ）に示すように、図８（ｂ）の紙面左右方向に対応している。図１０中、（ａ）は領域８１の、（ｂ）は領域８２の、（ｃ）は全体で、いずれの表示が観察されるかを示している。
【００４４】
図１０（ａ）、（ｂ）、（ｄ）に示すように、紙面上、最も左側の側面４よりもさらに左側から観察した場合には、領域８１にはＡの表示が、領域８２にはＸの表示が観察される。そして観察者がＰ１に対応する位置まで移動すると、領域８１にはＢの表示が、領域８２にはＸの表示が観察される。さらに、観察者が移動してＰ２に対応する位置では、領域８１にはＣの表示が、領域８２にはＹの表示が観察され、さらに紙面上、最も右側の側面３よりもさらに右側に観察者が移動して観察した場合には、領域８１はＣの表示が、領域８２にはＺの表示が観察される。
【００４５】
領域８１と８２を合わせた表示としては、図１０（ａ）と（ｂ）とを合成した図１０（ｃ）に示すように、紙面左側から右側に向かって観察者が移動した場合、ＡとＸが左右に並んだ表示、ＢとＸが左右に並んだ表示、ＣとＹが左右に並んだ表示、ＣとＺが左右に並んだ表示がこの順で観察されることになり、観察する位置によって、側面４と平坦面１、平坦面１と側面３とが混在した表示となる。
【００４６】
図８乃至図１０には、平坦面１の幅方向に仮想基準点が異なる２つの領域が配置した構成を示したが、本発明においてはこれに限定されない。例えば、平坦面１の長手方向に仮想基準点が異なる２以上の領域を配置してよく、また、仮想基準点が異なる２以上の領域を、一方の領域内に他方の領域が配置するようにしてもよい。また、その際、他方の領域の形状は矩形、円形、不定形のいずれでも構わない。さらに、上記の配置を複数組みあわせても良い。
【００４７】
（実施形態４）
上記実施形態１乃至３においては、平坦面１の長手方向が垂直方向に沿っており、水平方向で観察者が位置を変えた場合に異なる表示が観察される場合を例に挙げたが、本発明においては、平坦面１の長手方向を水平方向に沿って配置する形態も好ましく用いられる。具体的には、屋外の広告などで、建築物の壁面に係る広告を配置し、該建築物に道路などを挟んで対向配置する建築物から外部が観察できるエレベーターに乗って観察した場合、上昇或いは下降によって観察される表示が異なるという効果が得られる。また、上方からの太陽光線を隔壁２が遮り、平坦面１の表示が見やすくなるという効果も得られる。
【００４８】
また、本発明の表示部材を屋内の暗い場所に設置する場合や夜間などに照明を当てる場合に、表示部材の平坦面１を少なくとも光透過性としておくことにより、表示部材の裏面から照明を当てて、効率良く各面に漏れなく照明を当てることができる。
【００４９】
また、隔壁２の側面３，４には、反射部材や反射防止部材、光拡散部材などを設置するなど、太陽光線や照明の光線を制御或いは強調する手段を講じることも可能である。
【００５０】
本発明の表示部材で表示する表示内容としては特に限定されず、風景や文字、デザイン、ベタ色調など、目的に応じて自由に選択することができる。また、平坦面１を透明なままにしておくことも可能である。バスの後部窓などに広告を設ける場合、平坦面１を透明なままとして、隔壁２の左右両側面のみ表示を施すと、運転手がバックミラーを介して観察した際に、運転手の視界を遮って運転に支障を来すようなことがなく、広告を設けることができる。
【００５１】
本発明の表示部材を屋外で用いる場合には、耐候性や防水性を付与することが望ましく、例えば離型紙、粘着層、樹脂層を積層してなる住友スリーエム社製「スコッチカルフィルム（商標）」やバスラッピングフィルムに表示の印刷を行い、別途設けた基材に係る印刷物を貼付して用いることができる。さらに、表示側の表面に保護及び防汚対策として、透明な樹脂板を取り付けたり、透明な保護層を積層しても良い。
【００５２】
また、本発明の表示部材には、隔壁の少なくとも一部の角度を遠隔操作により調整できる機構を設けておくことで、屋上などのアクセスが不便な箇所に設置した場合でも、時間帯や季節に応じて、最も観察しやすい角度に隔壁を調整することができ、好ましい。
【実施例】
【００５３】
図２（ａ）の断面構成で、図１（ａ）のように平坦面１の長手方向が垂直方向であるＡ０サイズ（縦×横＝８４１ｍｍ×１１８９ｍｍ）の表示部材を作製した。仮想基準点Ｐを上記Ａ０の中心部から法線方向に２ｍの位置に設定した。平坦面１の幅を３ｍｍ、隔壁２の底辺の幅Ｌ１を０．１ｍｍ、隔壁２の配列ピッチを３．１ｍｍとし、隔壁２の総数を３８４本とした。
【００５４】
平坦面１の表示の画像データを幅３ｍｍで３８３個に分割した。また、隔壁２の側面４の表示は水平方向中心部の隔壁２から紙面左側については幅３ｍｍに固定し、紙面右側については３ｍｍから３．０２９ｍｍまで段階的に幅を変化させて画像データを分割した。また、隔壁２の側面３の表示については、側面４とは逆に、水平方向中心部から紙面右側については幅を３ｍｍに固定し、紙面左側については３ｍｍから３．０２９ｍまで段階的に幅を変化させて画像データを分割した。
【００５５】
分割した各面の表示データを、隔壁２の側面４、隔壁２の側面３、平坦面１の順で繰り返し配列するように合成し、印刷データを作成した。
【００５６】
上記印刷データに基づいて、ロール紙にインクジェットプリンタを用いて印刷を行った。得られた印刷物を、隔壁２の側面４と側面３との境界は山折、平坦面１と隔壁２の側面４との境界及び隔壁２の側面３と平坦面１との境界は谷折で折り曲げ、別途用意したＡ０サイズの台紙に隔壁２の底面の幅Ｌ１が０．１ｍｍとなるように、平坦面１の裏面を貼付し、本発明の表示部材を得た。
【００５７】
上記表示部材を、中央の平坦面１から２ｍ離れた位置から観察したところ、表示部材全体において、隔壁２の側面３，４の表示はほとんど観察されず、平坦面１の表示が隔壁２に妨げられることなく明瞭に観察された。また、中央から左右に２ｍ移動した場合には、それぞれ平坦面１の表示はほとんど観察されず、隔壁２の側面３，４の表示が明瞭に観察された。
【００５８】
また、隔壁２の側面３，４の幅を３ｍｍで一定とし、全ての隔壁２が平坦面１に対して垂直に起立するように設定した以外は、上記と同様にして表示部材を作製した。係る表示部材を中央の平坦面１から２ｍ離れた位置で観察したところ、左右両端付近では隔壁２の側面３，４の表示が観察され、隔壁２の影になった位置の平坦面１の表示が観察されず、隔壁２の側面３，４と平坦面１の表示が混在して観察された。
【符号の説明】
【００５９】
１：平坦面、２：隔壁、３，４：側面、５：隔壁の中心線、６：凹部面、Ｐ，Ｐ１，Ｐ２：仮想基準点、Ｒ：基準点
【図１】
0005744638.tif 000002
【図２】
0005744638.tif 000003
【図３】
0005744638.tif 000004
【図４】
0005744638.tif 000005
【図５】
0005744638.tif 000006
【図６】
0005744638.tif 000007
【図７】
0005744638.tif 000008
【図８】
0005744638.tif 000009
【図９】
0005744638.tif 000010
【図１０】
0005744638.tif 000011
【図１１】
0005744638.tif 000012